(57)【要約】【課題】タイヤパンクシ−リング剤の容器に濾過機能をもたせるものである。これによって、タイヤ内への注入の際に、繊維等のフィラ−や保存中に発生しがちなシ−リング液中のラテックス等の凝集物等を濾過し、タイヤバルブ側の詰まりを予防するものである。【解決手段】液状のタイヤパンクシ−リング剤を収容する筒状容器であって、筒状容器内に多孔性の濾過体を配置し、この濾過体を容器内に押し入れる押し棒とを備え、パンクシ−リング剤の凝固物を濾過体にて補収し、濾過体を通過したシ−リング剤を抽出口よりタイヤバルブ内に充填するようにしたタイヤパンクシ−リング剤収容容器。１‥収容容器、２‥パンクシ−リング剤の充填口、３‥キャップ、４‥シ−リング剤の抽出口、１１‥濾過体、１１ａ‥濾過体の穴部、１２‥押し棒、１２ａ‥押し棒の雄ねじ部。【選択図】図２
2005335128.tif 000002
【特許請求の範囲】
【請求項１】
液状のタイヤパンクシ−リング剤を収容する筒状容器であって、筒状容器内に多孔性の濾過体を配置し、この濾過体を容器内に押し入れる押し棒とを備え、パンクシ−リング剤の凝固物を濾過体にて補収し、濾過体を通過したシ−リング剤を抽出口よりタイヤバルブ内に充填するようにしたことを特徴とするタイヤパンクシ−リング剤収容容器。
【請求項２】
濾過体穴径が０．５〜１０ｍｍφである請求項１記載のタイヤパンクシ−リング剤収容容器。
【発明の詳細な説明】
【技術分野】
【０００１】
タイヤパンクシ−リング剤を収容する容器に関するものである。
【背景技術】
【０００２】
近年、非耐圧性の変形容易な合成樹脂製の容器を用い、この容器を手で圧搾（押圧）することによりシーリング剤をタイヤに注入し、その後この容器を取り外し、タイヤに別途コンプレッサを接続してポンプアップするシステムが案出されている。（特許文献１）
【０００３】
【特許文献１】特開２００３−２６２１７
【０００４】
特許文献１に記載された収容容器１０１を図４に示すが、キャップ（図示しない）を外した後、収容容器１０１の首部１０２に、取出しキャップ１０３を取り付ける。この取出しキャップ１０３は、前記首部１０２に螺着されるキャップ本体１０４と、該キャップ１０３にシ−リング剤を導く導部１０５と、キャップ本体１０４からタイヤ側に伸びる供給部１０６と、からなり、供給チュ−ブ１０７がここに嵌め込まれている。
【０００５】
前記供給チュ−ブ１０７は柔軟なホース状をなし、先端をタイヤのバルブ（図示しない）に接続する。その後、収容容器１０１の胴部を手によって圧搾し、それに伴う容積の減少により、収容するシーリング剤を前記供給チュ−ブ１０７から取出しタイヤ内に注入する。又注入後は、前記収容容器１０１を取り外すとともに、この収容容器１０１が取り外されたタイヤをコンプレッサによってポンプアップし、その後、直ちにタイヤを所定時間、通常１０分程度回転させることによってパンク穴を応急的にシールする。
【０００６】
近年、パンクシーリング剤を改良したものとして、特許文献２には、天然ゴムラテックスのみからなるゴムラテックスを含むとともに、この天然ゴムラテックスに適合する樹脂系接着剤を有するパンクシーリング剤が開発され、更に、これを改良したものとして本出願人は既に特許文献３を提供している。
即ち、パンクシーリング剤として天然ゴムを含むものを使用すると、パンクシーリング剤が作業者の手、顔等に付着したり、ガスと共に飛散したパンクシーリング剤を作業者が吸引してしまうと、アレルギー反応による健康障害を引き起こすおそれがある。
【０００７】
また、天然ゴムラテックスは、ラテックスとしての安定性を確保するために、通常、PH調整剤としてアンモニアが添加され、PHが9 〜10程度に調整されている。このため、パンク修理時にはパンクシーリング剤から強い刺激臭が発生し、作業者に対する作業環境が良好ではなく、健康にも悪影響を与えるおそれがある。
【０００８】
【特許文献２】特開平９−１１８７７９号
【０００９】
上記事実を考慮して、アレルギー反応による健康障害や刺激具による作業環境の悪化を引き起こすことなく、高温及び低温の条件下やウェット条件下でも、パンクしたタイヤに対して優れたシール性能を発揮するパンクシーリング剤を提供した（特許文献３）。
【００１０】
【特許文献３】特願２００３−１３５５３３号
【００１１】
即ち、特許文献３のパンクシーリング剤は、ＳＢＲラテックス及び／またはＮＢＲラテックスを含むとともに、該ゴムラテックスに適合する樹脂系接着剤を有するもので、樹脂系接着剤は、前記ゴムラテックスの水性分散剤又は水性乳剤の状態で加えられることを特徴とする。
【００１２】
しかしながら、ラテックスを用いたパンクシ−リング剤にあっては、ラテックスの安定化が崩れ、凝固傾向があることは否めない。また、パンクシ−リング剤中に繊維やその他のフィラ−が添加されている場合には、従来の容器にこれを充填し使用に供すると、いわゆるダマ（主としてラテックスの凝固物）や繊維やフィラ−がキャップ側に、或いはタイヤ側のバルブ内に詰まるという問題があった。
【００１３】
パンクシ−リング剤としてのラテックス配合物について更に言うと、通常は長期間に渡って車に搭載されているために、容器内の空気に接触する境界面で膜状に固化（凝固物）してしまう傾向がある。これがタイヤ内ヘ注入する際、タイヤバルブや供給チュ−ブ内で詰まってしまい、円滑な充填ができないという問題が指摘されている。
【００１４】
これに対する対応策としては、ラテックス配合物中に接着成分を添加しておき、固形物を容器の裏側面に接着させてしまうという考えや、アルミ製の容器内にラテックス配合物を真空下に充填し、固化物の生成をできるだけ少なくするという考えがある。
【００１５】
しかるに、前者の場合にはラテックスの配合物中に接着成分を添加すると、その接着成分によりラテックス配合物の変色、変質等に問題が生じたり、後者の場合には、アルミ製の容器が破れたり、保管時に鋭利なものによって突き刺さったりする懸念がある。
【発明の開示】
【発明が解決しようとする課題】
【００１６】
本発明はかかる問題点を解決しようとするものであり、容器よりラテックスの凝固物が抽出されるのを防止し、タイヤバルブ内のトラブルを防止することを目的としたものである。
【課題を解決するための手段】
【００１７】
本発明の要旨は、液状のタイヤパンクシ−リング剤を収容する筒状容器であって、筒状容器内に多孔性の濾過体を配置し、この濾過体を容器内に押し入れる押し棒とを備え、パンクシ−リング剤の凝固物を濾過体にて補収し、濾過体を通過したシ−リング剤を抽出口よりタイやバルブ内に充填するようにしたことを特徴とするものであり、濾過体穴径が０．５〜１０ｍｍφであるのがよい。
【発明の効果】
【００１８】
本発明は、タイヤパンクシ−リング剤収容容器内に濾過機能をもたせるものであって、具体的には、容器内に濾過体を配置し、これを押すための押し棒を濾過体に接続したものである。このため、タイヤ内への注入の際に、繊維等のフィラ−や保存中に発生しがちなシ−リング液中のラテックス等の凝集物等を濾過し、タイヤバルブ側の詰まりを予防するものである。
【発明を実施するための最良の形態】
【００１９】
本発明は上記したようにタイヤパンクシ−リング剤収容容器に濾過機能をもたせるものであり、特に、タイヤバルブのバルブコアを除いた場合の導通路の最も狭い部分の内径は３ｍｍφであり、これよりも濾過体の穴径を大きく取り過ぎた場合、凝集物等がタイヤ側に注入されてしまい、バルブ側で詰まりが発生することがある。
【００２０】
濾過体の穴径は０．５〜１０ｍｍφ、好ましくは２〜６ｍｍφである。穴径がこれ以上大きくなると、ラテックスの凝集物や繊維のフィラ−のだまが通り抜けてしまい、タイヤバルブで詰まってシ−リング剤を注入できなくなってしまう。又、穴径がこれ以下では目詰まりを起こしたり、注入時の流れ抵抗が大きく注入しずらい等の不具合が起こる。
【００２１】
濾過体はプレ−ト、ネット等特に限定されるものではなく、濾過体の材料も、金属、プラスチック等特に限定はないが、好ましくは比重が１前後の樹脂例えばポリエチレン、ポリプロピレン、ナイロン等がある。
【００２２】
押し棒は濾過体に連接し、使用に供する際にキャップを取り、押し棒を濾過体に差し込みつつ下に押し下げ、これによってシ−リング剤の凝固物を濾過体にて押し下げる状態とし、濾過体を通過したシ−リング剤のみをタイヤバルブ内に導くものである。
【００２３】
濾過体の大きさは容器の内壁から０．５〜１０ｍｍ、好ましくは２〜６ｍｍ程度の隙間を有するのが好ましい。０．５ｍｍ以下であるとシ−リング剤の抵抗が強く、濾過体が沈みにくく、一方、１０ｍｍ以上であると、凝固物がこの部位を通り抜けてしまい濾過体を用いた意味がなくなってしまうからである。
【００２４】
濾過体の多孔開口率は表面積の１０〜７０％、好ましくは１８〜４０％である。１０％以下であると抵抗が大きくなり、７０％以上であると、濾過体特にネットであればその強度が弱くなり、うまく押すことができなくなる。
【００２５】
濾過体は通常の保管時には容器の上部のシ−リング剤に接しない部位に嵌め込まれているものであが、場合によっては、使用時に容器の上部を開放して濾過体を挿入することも可能である。
【００２６】
濾過体の多孔性について言えば、その形状は特に限定するものではないが、円形の場合には１〜２０ｍｍφ、好ましくは３〜１０ｍｍφである。これが小さ過ぎると目詰まりを起こしてしまい、下に押すことができにくくなる。一方、大き過ぎると凝固物が引っ掛からず穴内を通過してしまい効果がなくなるからである。
【００２７】
押し棒は特に限定するものではなく、金属や樹脂が用いられ、軽量等の点から樹脂製のものが好ましい。
【００２８】
押し棒をもって濾過体を押し下げる場合には、単に押し棒を押すこともできるが、棒に雄ねじを刻設し、一方、キャップに雌ねじを刻設し、両者を螺合しつつ濾過体を押し下げることができることは言うまでもない。
【実施例】
【００２９】
以下、本発明を図面をもって更に詳細に説明する。
図１は本発明のタイヤパンクシ−リング剤を収容する筒状容器の断面図である。容器１の頂部にパンクシ−リング剤の充填口２が備えられこれにキャップ３が螺着されている。又、符号４はシ−リング剤の抽出口であり、ここに図示しない接続チュ−ブが嵌められ、タイヤバルブに接続されることになる。尚、１１は多孔性の濾過体であり、この例では予め容器１内の上部に嵌め込まれている例である。用いられた容器１は超高分子量ポリエチレン樹脂にて製造され、その肉厚は１．５ｍｍである。
【００３０】
図２は本発明のタイヤパンクシ−リング剤をタイヤバルブ内に注入する際の断面図である。容器１内に多孔性の濾過体１１を配置し、キャップを外し、或いは、キャップ３の頭部を貫通して、この濾過体１１を容器１内に押し入れる押し棒１２を濾過体１１に差し込んで押し込み、パンクシ−リング剤の凝固物を濾過体１１にて補収し、濾過体１１を通過したシ−リング剤を抽出口４よりタイヤバルブ内に充填するようにしたタイヤパンクシ−リング剤収容容器１である。尚、符号１１ａは穴部である。
【００３１】
濾過体１１は超高分子料ポリエチレン樹脂にて製造され、容器１との間の隙間は３ｍｍ、開穴率３０％（穴径８ｍｍ）であった。尚、押し棒１２はナイロン樹脂にて得られたものであり、両者は単に接触して押すだけでなく、場合によっては、濾過体１１の中央に凹みを設け、ここに押し棒１２の先端を嵌め込んで押すこともできる。
【００３２】
上記した図２の例にあっては、押し棒１２は力によって下に押される構造の容器であるが、図３はこの改良構造であり、押し棒１２に雄ねじ１２ａを刻設し、一方、キャップ３には雌ねじ部３ａが刻設され、両者を螺合しつつ濾過体１１を下方に確実に押し下げる例である。
【産業上の利用可能性】
【００３３】
以上のように、本発明のタイヤパンクシ−リング剤収容容器によれば、例えシ−リング剤が凝固しやすい性状のものであっても全く問題なくタイヤ内に充填可能であって、その利用価値は極めて高い。
【図面の簡単な説明】
【００３４】
【図１】図１はタイヤパンクシ−リング剤収容容器の一例である。
【図２】図２は使用時のタイヤパンクシ−リング剤収容容器の状態である。
【図３】図３はタイヤパンクシ−リング剤収容容器の他の例である。
【図４】従来のタイヤパンクシ−リング剤収容容器の例である。
【符号の説明】
【００３５】
１‥収容容器、
２‥パンクシ−リング剤の充填口、
３‥キャップ、
３ａ‥キャップの雌ねじ部、
４‥シ−リング剤の抽出口、
１１‥濾過体、
１１ａ‥濾過体の穴部、
１２‥押し棒、
１２ａ‥押し棒の雄ねじ部。  
【図１】
2005335128.tif 000003
【図２】
2005335128.tif 000004
【図３】
2005335128.tif 000005
【図４】
2005335128.tif 000006